(57)【特許請求の範囲】
【請求項１】
通常の運転サービスを行うための一般呼び用の行先階登録ボタンとは別に、
特殊な運転サービスを行うための特殊呼び用の行先階登録ボタンを備えたエレベータにおいて、
一のエレベータのかご操作盤上に、前記一般呼び用の行先階登録ボタンと前記特殊呼び用の行先階登録ボタンの両方を具備し、
前記特殊呼び用の行先階登録ボタンは当該特殊呼び用の行先階登録ボタンに表示された行先階と同一の行先階を表示された前記一般呼び用の行先階登録ボタンに隣接して配置されたこと
を特徴とするエレベータのかご操作盤。
【請求項２】
前記特殊呼び用の行先階登録ボタンの表面上に行先階を示す表示の他に、特殊運転を示すマークを具備したこと
を特徴とする請求項１に記載のエレベータのかご操作盤。
【請求項３】
前記特殊呼び用の行先階登録ボタンの表面上に行先階を示す表示の他に、特殊運転を示す説明文字を具備したこと
を特徴とする請求項１又は請求項２に記載のエレベータのかご操作盤。
【請求項４】
前記特殊呼び用の行先階登録ボタンにおいて、前記各行先階登録の外形が前記一般呼び用の行先階登録ボタンと異なること
を特徴とする請求項１乃至請求項３のいずれか１項に記載のエレベータのかご操作盤。
【請求項５】
前記特殊呼び用の行先階登録ボタンと前記一般呼び用の行先階登録ボタンの色が異なること
を特徴とする請求項１乃至請求項４のいずれか１項に記載のエレベータのかご操作盤。
【請求項６】
前記特殊な運転がドアの戸開時間を通常よりも長くすることであること
を特徴とする請求項１乃至請求項５のいずれか１項に記載のエレベータのかご操作盤。
【請求項７】
前記特殊呼び用の行先階登録ボタンによって行先階が登録された場合において、
かご内音声案内装置により、前記特殊呼び用の行先階登録ボタンによって行先階が登録された旨を報知する手段を具備したこと
を特徴とする請求項１乃至請求項６のいずれか１項に記載のエレベータのかご操作盤。
【発明の詳細な説明】
【技術分野】
【０００１】
本発明は、かご内にて呼び登録する機能を備えたエレベータのかご操作盤であって、特に身障者呼びを登録する場合に用いて好適なエレベータのかご操作盤に関する。
【背景技術】
【０００２】
従来、身障者呼びの登録機能を備えたエレベータシステムでは、かご内において、一般呼び用の操作盤とは別に身障者専用の操作盤を設置しており、身障者呼びの登録はその専用操作盤のボタンを押すことで行われていた。身障者専用の操作盤であることは、身障者マークやガイドの表示などによって利用者に知らしめられている。
【０００３】
ここで、専用操作盤のボタンを押すことによって身障者呼びが登録された場合には、通常と異なる特殊な運転サービスが行われる。例えば、車椅子の人が乗り込み易いように、かごの着床後に完全に動きが停止してからドアを開いたり、ドアの戸開時間を通常よりも長くするなどである。
【０００４】
ところが、身障者専用の操作盤はかご内の側壁の比較的低い位置にあり、子供や高齢者にとって押しやすい位置にボタンがあることや、一般の成人にとっても、かご内に入った後、振り返らずボタンを押すことが可能であるため、身障者でない利用者（以下一般の利用者と称す）が身障者専用の操作盤にある身障者呼びボタンを押すことが多かった。
【０００５】
また、エレベータかご内が満員になった場合、袖壁付近にいない一般の利用者が呼び登録を後から行う場合、袖壁付近の利用者に呼び登録を依頼することに躊躇し、身障者専用の操作盤にある身障者呼びボタンを押すということもあった。
【０００６】
さらに、身障者専用の操作盤にある身障者呼びボタンは簡単に登録できる上、一般の利用者は、その身障者呼びによって通常とは異なる特殊な運転サービスが行われことを知らないことから、一般の呼びボタンと身障者呼びボタンが同一の運転サービスを行うものと勘違いして押してしまうことが多い。
【０００７】
身障者専用の操作盤にある身障者呼びボタンが押されたエレベータは目的階に着床し、ドアが開いて乗客がエレベータの外に出るのであるが、この場合のドアは通常より戸開時間が長くなる。この時、かご内に別の乗客が残っていれば、戸閉ボタンを押してドアを閉めるが、誰も乗っていない場合、タイマーが設定された時間まで、ドアは開き続ける。
【０００８】
上述のように、無駄な身障者呼びが頻繁に発生し、運転サービス（待ち時間）の低下を招くといった問題があった。
【０００９】
このようなエレベータの身障者呼びに関する発明として、例えば特許文献１に開示されているものが知られている。この特許文献１には、呼び情報を入力するための呼びボタンと呼び登録の切り替えを指示するための切り替えボタンと、上記呼びボタンの押下によって入力された呼び情報を一般呼びとして登録し、上記切り替えボタン押下後に続けて上記呼びボタンが押下された場合に特殊呼びとして登録する登録手段と、この登録手段によって一般呼びまたは特殊呼びとして登録された呼び情報をクリアして再登録処理を行う再登録手段を具備して構成されるエレベータシステムが開示されている。
【００１０】
上述した特許文献１の実施例を、図８を用いて説明する。図８における２５はかごの両側面に設置された行先呼び登録装置である。前記行先呼び登録装置２５上には、行先呼びボタン３１があり、行先呼び登録表示部３２と兼用される。また、前記行先呼び登録装置２５上には、呼び登録切り替えボタン３４があり、身障者呼び登録可能表示部３５と兼用される。さらに、前記行先呼び登録装置２５上には、身障者呼び登録表示部３６、かご位置表示部５１、メッセージ表示部５２、非常呼びボタン３、戸開ボタン４、戸閉ボタン５が設置される。
【００１１】
かごに乗った乗客が、行先呼び登録装置２５の前記行先呼びボタン３１を押下すると、その行先呼びボタンに対応した階を行先階として呼び情報（行先呼び）が図示しないエレベータ制御装置に与えられる。前記エレベータ制御装置では、このときに得られた呼び情報を「一般呼び」として、登録する。
【００１２】
一方、かごに乗った乗客が、前記行先呼び登録装置２５の呼び登録切り替えボタン３４を押下すると、前記身障者呼び登録可能表示部３５が点灯または点滅し、身障者呼びの登録が可能な状態であることを利用者に知らしめる。その後、前記行先呼びボタン３１を押下すると、その行先呼びボタンに対応した階を行先階として呼び情報（行先呼び）が図示しないエレベータ制御装置に与えられる。前記エレベータ制御装置では、このときに得られた呼び情報を「身障者呼び」として、登録する。以上が、特許文献１の実施の一例である。
【先行技術文献】
【特許文献】
【００１３】
【特許文献１】特開２００６−２５６８３４号公報
【発明の概要】
【発明が解決しようとする課題】
【００１４】
上述した特許文献１では、切替えボタンの押下後に呼びボタンを押下するといった２回のボタン操作によって特殊呼びが登録される。したがって、一般の利用者が容易に特殊呼びを登録することがなくなり、運転サービスの低下することを防ぐことができるが、身障者にとっては、呼び登録を行うのに、２段階の手順を経なければならず、身障者にとって使い勝手の悪い操作盤となる問題があった。特に、身障者が上半身にも障害がある場合、より少ない動作で、操作可能とすることが必要なことに鑑みれば、特許文献１に開示された２段階手順での特殊呼び登録操作は問題がある。
【００１５】
また、上述した特許文献１では、２段階の手順で特殊呼び登録されるということが、初めて当該エレベータを利用した身障者には、理解し難いという問題があった。
【００１６】
本発明は、上記のような点に鑑みなされたもので、一般利用者の不要な特殊呼びにより運転サービスが低下することを防ぐと共に、身障者にとっては、従来通りの操作で特殊呼び登録が可能かつ簡易な構造のエレベータのかご操作盤を提供することを目的とする。
【課題を解決するための手段】
【００１７】
本発明に係るエレベータのかご操作盤は、通常の運転サービスを行うための一般呼び用の行先階登録ボタンとは別に、特殊な運転サービスを行うための特殊呼び用の行先階登録ボタンを備えたエレベータにおいて、一のエレベータのかご操作盤上に、前記一般呼び用の行先階登録ボタンと前記特殊呼び用の行先階登録ボタンの両方を具備し、前記特殊呼び用の行先階登録ボタンは当該特殊呼び用の行先階登録ボタンに表示された行先階と同一の行先階を表示された前記一般呼び用の行先階登録ボタンに隣接して配置されたこと
を特徴とする。
また、前記特殊呼び用の行先階登録ボタンの表面上に行先階を示す表示の他に、特殊運転を示すマークを具備したことを特徴とする。
また、前記特殊呼び用の行先階登録ボタンの表面上に行先階を示す表示の他に、特殊運転を示す説明文字を具備したことを特徴とする。
また、前記特殊呼び用の行先階登録ボタンにおいて、前記各行先階登録の外形が前記一般呼び用の行先階登録ボタンと異なることを特徴とする。
また、前記特殊呼び用の行先階登録ボタンと前記一般呼び用の行先階登録ボタンの色が異なることを特徴とする。
また、前記特殊な運転がドアの戸開時間を通常よりも長くすることであることを特徴とする。
また、前記特殊呼び用の行先階登録ボタンによって行先階が登録された場合において、かご内音声案内装置により、前記特殊呼び用の行先階登録ボタンによって行先階が登録された旨を報知する手段を具備したことを特徴とする。
【発明の効果】
【００１８】
この発明によれば、一般利用者の不要な特殊呼びにより運転サービスが低下することを防ぐと共に、身障者にとっては、従来通りの操作で特殊呼び登録が可能かつ簡易な構造のエレベータのかご操作盤を提供することができる。
【図面の簡単な説明】
【００１９】
【図１】本発明の実施形態１に係るエレベータかご内からかごの出入口側を見た透視図
【図２】本発明の実施形態１に係るエレベータかご操作盤の正面図
【図３】本発明の実施形態２に係るエレベータかご操作盤の正面図
【図４】本発明の実施形態３に係るエレベータかご操作盤の正面図
【図５】本発明の実施形態４に係るエレベータかご操作盤の正面図
【図６】本発明の実施形態５に係るエレベータかご内からかごの出入口側を見た透視図
【図７】本発明の実施形態５に係るエレベータかご操作盤の正面図
【図８】従来技術に係るエレベータ身障者専用の操作盤の正面図
【発明を実施するための形態】
【００２０】
以下、本発明の実施例について図面を用いて説明する。
【００２１】
図１は本発明の実施例１に係るエレベータかご内からかごの出入口側を見た透視図である。
【００２２】
図１において、１７、１７はエレベータのかごドア、１６はエレベータのかご出入口、１８は一般呼び用の操作盤、１は身障者専用の主操作盤、２は身障者専用の副操作盤である。一般に身障者専用の操作盤が設置される場合、一般呼び用の操作盤が設置されている側のかご側壁には、インターホンと方向・階名表示器が内蔵されていない身障者専用の副操作盤が設置され、一般呼び用の操作盤が設置されていない側のかご側壁には、インターホンと方向・階名表示器が内蔵されている身障者専用の主操作盤が設置される。
【実施例１】
【００２３】
次に、図２を用いて、実施例１に係る身障者専用の主操作盤１について説明する。
【００２４】
３は非常時にかご外部に通報し、かつインターホンにてかご外部と通話可能にする非常呼びボタン、４は戸開ボタン、５は戸閉ボタン、６は方向表示器、７は階名表示器、８は身障者用を示すシンボルマーク、９はインターホンのスピーカーおよびマイクの音声を透過させる音抜き穴である。
【００２５】
ここで、行先階登録ボタンは上下２段に同一の階名を表示したボタンを配置する。上段には、一般呼び用のボタン１０を配置し、下段には身障者呼び用のボタン１１を配置する。
【００２６】
前記一般呼び用のボタン１０を操作され、一般呼びが登録される場合には、通常の運転サービスを行う。
【００２７】
一方、前記身障者呼び用のボタン１１が操作され、身障者呼びが登録された場合には、通常と異なる特殊な運転サービスが行われる。即ち、車椅子の人が乗り込み易いように、かごの着床後に完全に動きが停止してからドアを開いたり、ドアの戸開時間を通常よりも長くするなどである。
【００２８】
このように、かご側面にあるかご操作盤上に、身障者呼び用のボタンと一般呼び用のボタンの両方があれば、同一の行先階を登録するためのボタンが２種類あることで、機能に相違があることが、利用者に直感的に感得できる。
【００２９】
また、前記身障者呼び用のボタン１１の表面には、前記一般呼び用のボタン１０と区別するため、特殊な運転サービスを想起させるマークを表示する。例えば、図２のような身障者用を示すシンボルマークなどである。
【００３０】
また、マークを表示する他に、ボタン表面の配色を前記一般呼び用のボタン１０と前記身障者呼び用のボタン１１で変えることにより、より一層、ボタンの機能の相違を認識し易くなる。
【００３１】
なお、前記身障者専用の副操作盤２は、図示しないインターホン、インターホンのスピーカーおよびマイクの音声を透過させる音抜き穴９、方向表示器６および階名表示器７が無い点を除き、前記身障者専用の主操作盤１と同様の機能・効果を有することは当然である。
【００３２】
前記一般用の操作盤１８若しくは前記身障者専用の主操作盤１または前記身障者専用の副操作盤２の一般呼びが登録されたとしても、前記身障者専用の主操作盤１または前記身障者専用の副操作盤２の身障者呼びが登録された場合は、優先的に特殊な運転サービスを提供することになる。
【実施例２】
【００３３】
次に、図３を用いて、実施例２に係る身障者専用の主操作盤１２について説明する。
【００３４】
３は非常時にかご外部に通報し、かつインターホンにてかご外部と通話可能にする非常呼びボタン、４は戸開ボタン、５は戸閉ボタン、６は方向表示器、７は階名表示器、８は身障者用の操作盤を示す身障者用を示すシンボルマーク、９はインターホンのスピーカーおよびマイクの音声を透過させる音抜き穴である。
【００３５】
ここで、行先階登録ボタンは上下２段に同一の階名を表示したボタンを配置する。上段には、一般呼び用のボタン１０を配置し、下段には身障者呼び用のボタン２１を配置する。
【００３６】
実施例２についても、実施例１と同様に、同一の行先階を登録するためのボタンが２種類あることで、機能に相違があることが、利用者に直感的に感得できる。
【００３７】
前記身障者呼び用のボタン２１の表面には、前記一般呼び用のボタン１０と区別するため、特殊な運転サービスを説明する説明書きを表示する。例えば、図３のように「身障者専用」と明示するなどである。
【００３８】
また、実施例１と同様に説明書きを表示する他に、ボタン表面の配色を前記一般呼び用のボタン１０と前記身障者呼び用のボタン２１で変えることにより、より一層、ボタンの機能の相違を認識し易くなる。
【００３９】
なお、実施例２における前記身障者専用の副操作盤２についても、前記身障者専用の主操作盤１２と同様の機能・効果を有することは当然である。
【００４０】
前記一般用の操作盤１８若しくは前記身障者専用の主操作盤１２または前記身障者専用の副操作盤２の一般呼びが登録されたとしても、前記身障者専用の主操作盤１２または前記身障者専用の副操作盤２の身障者呼びが登録された場合は、優先的に特殊な運転サービスを提供することになる。
【実施例３】
【００４１】
次に、図４を用いて、実施例３に係る身障者専用の主操作盤１３について説明する。
【００４２】
３は非常時にかご外部に通報し、かつインターホンにてかご外部と通話可能にする非常呼びボタン、４は戸開ボタン、５は戸閉ボタン、６は方向表示器、７は階名表示器、８は身障者用の操作盤を示す身障者用を示すシンボルマーク、９はインターホンのスピーカーおよびマイクの音声を透過させる音抜き穴である。
【００４３】
ここで、行先階登録ボタンは上下２段に同一の階名を表示したボタンを配置する。上段には、一般呼び用のボタン１０を配置し、下段には身障者呼び用のボタン１９を配置する。
【００４４】
実施例３についても、実施例１と同様に、同一の行先階を登録するためのボタンが２種類あることで、機能に相違があることが、利用者に直感的に感得できる。
【００４５】
前記身障者呼び用のボタン１９の外形は、前記一般呼び用のボタン１０と区別するため、形状を相違させる。例えば、図４のように一般呼び用のボタン外形は丸型で、身障者呼び用のボタン外形は角型とするなどである。
【００４６】
また、実施例１と同様に、前記一般呼び用のボタン１０と前記身障者呼び用のボタン１９の外形を相違させる他に、ボタン表面の配色を前記一般呼び用のボタン１０と前記身障者呼び用のボタン１９で変えることにより、より一層、ボタンの機能の相違を認識し易くなる。
【００４７】
なお、実施例３における前記身障者専用の副操作盤２についても、前記身障者専用の主操作盤１３と同様の機能・効果を有することは当然である。
【００４８】
前記一般用の操作盤１８若しくは前記身障者専用の主操作盤１３または前記身障者専用の副操作盤２の一般呼びが登録されたとしても、前記身障者専用の主操作盤１３または前記身障者専用の副操作盤２の身障者呼びが登録された場合は、優先的に特殊な運転サービスを提供することになる。
【実施例４】
【００４９】
次に、図５を用いて、実施例４に係る身障者専用の主操作盤１４について説明する。
【００５０】
３は非常時にかご外部に通報し、かつインターホンにてかご外部と通話可能にする非常呼びボタン、４は戸開ボタン、５は戸閉ボタン、６は方向表示器、７は階名表示器、８は身障者用の操作盤を示す身障者用を示すシンボルマーク、９はインターホンのスピーカーおよびマイクの音声を透過させる音抜き穴である。
【００５１】
ここで、行先階登録ボタンは上下２段に同一の階名を表示したボタンを配置する。上段には、一般呼び用のボタン１０を配置し、下段には身障者呼び用のボタン２２を配置する。
【００５２】
実施例４についても、実施例１と同様に、同一の行先階を登録するためのボタンが２種類あることで、機能に相違があることが、利用者に直感的に感得できる。
【００５３】
前記身障者呼び用のボタン２２近傍には、特殊な運転サービスを想起させるマークを表示した銘板やエッチング等を配置する。例えば、図５に示すように、身障者用を示すシンボルマークを表示した銘板を特殊な運転サービスを行うボタン群の左側に配置するなどである。
【００５４】
また、実施例１と同様に特殊な運転サービスを想起させるマークを表示した銘板やエッチング等を配置する他に、ボタン表面の配色を前記一般呼び用のボタン１０と前記身障者呼び用のボタン２２で変えることにより、より一層、ボタンの機能の相違を認識し易くなる。
【００５５】
なお、実施例４における前記身障者専用の副操作盤２についても、前記身障者専用の主操作盤１４と同様の機能・効果を有することは当然である。
【００５６】
前記一般用の操作盤１８若しくは前記身障者専用の主操作盤１４または前記身障者専用の副操作盤２の一般呼びが登録されたとしても、前記身障者専用の主操作盤１４または前記身障者専用の副操作盤２の身障者呼びが登録された場合は、優先的に特殊な運転サービスを提供することになる。
【実施例５】
【００５７】
以下、本発明の別の実施例について図面を用いて説明する。
【００５８】
図６は本発明の実施例５に係るエレベータかご内からかごの出入口側を見た透視図である。
【００５９】
図６において、１７、１７はエレベータのかごドア、１６はエレベータのかご出入口、１５は一般用の操作盤兼用の、身障者用の主操作盤、２は身障者専用の副操作盤である。また、２０は保守時や、エレベータ休止時に使用するスイッチ類を蓋内に収めた運転手盤である。本実施例においては、一般呼び用の操作盤を不用としている。本実施例により、一般利用者の不要な特殊呼びにより運転サービスが低下することを防ぐと共に、身障者にとっては、従来通りの操作で特殊呼び登録が可能かつ簡易な構造のエレベータのかご操作盤をより安価に提供することができる。
【００６０】
次に、図７を用いて、実施例５に係る一般用の操作盤兼用の、身障者用の主操作盤１５について説明する。
【００６１】
３は非常時にかご外部に通報し、かつインターホンにてかご外部と通話可能にする非常呼びボタン、４は戸開ボタン、５は戸閉ボタン、６は方向表示器、７は階名表示器、８は身障者用の操作盤を示す身障者用を示すシンボルマーク、２４はインターホンのスピーカーおよびマイクの音声を透過させる音抜き穴、２３は管制運転表示器、２５は社章・定員・積載表示部である。
【００６２】
ここで、行先階登録ボタンは上下２段に同一の階名を表示したボタンを配置する。上段には、一般呼び用のボタン１０を配置し、下段には身障者呼び用のボタン１１を配置する。
【００６３】
前記一般呼び用のボタン１０を操作され、一般呼びが登録される場合には、通常の運転サービスを行う。
【００６４】
一方、前記身障者呼び用のボタン１１が操作され、身障者呼びが登録された場合には、通常と異なる特殊な運転サービスが行われる。即ち、車椅子の人が乗り込み易いように、かごの着床後に完全に動きが停止してからドアを開いたり、ドアの戸開時間を通常よりも長くするなどである。
【００６５】
このように、かご側面にあるかご操作盤上に、身障者呼び用のボタンと一般呼び用のボタンの両方があれば、同一の行先階を登録するためのボタンが２種類あることで、機能に相違があることが、利用者に直感的に感得できる。
【００６６】
また、前記身障者呼び用のボタン１１の表面には、前記一般呼び用のボタン１０と区別するため、特殊な運転サービスを想起させるマークを表示する。例えば、図７のような身障者用を示すシンボルマークなどである。
【００６７】
また、マークを表示する他に、ボタン表面の配色を前記一般呼び用のボタン１０と前記身障者呼び用のボタン１１で変えることにより、より一層、ボタンの機能の相違を認識し易くなる。
【００６８】
なお、前記身障者専用の副操作盤２は、図示しないインターホン、インターホンのスピーカーおよびマイクの音声を透過させる音抜き穴２４、方向表示器６、階名表示器７、管制運転表示器２３および社章・定員・積載表示部２５が無い点を除き、前記身障者専用の主操作盤１５と同様の機能・効果を有することは当然である。
【００６９】
前記身障者専用の主操作盤１５または前記身障者専用の副操作盤２の一般呼びが登録されたとしても、前記身障者専用の主操作盤１５または前記身障者専用の副操作盤２の身障者呼びが登録された場合は、優先的に特殊な運転サービスを提供することになる。
【００７０】
なお、実施例５において、前記身障者呼び用のボタン１１の替わりに、実施例２と同様に特殊な運転サービスを説明する説明書きを表示した身障者呼び用のボタン２１とする、または実施例３と同様に身障者呼び用のボタンの形状を一般呼び用のボタンとボタン形状を相違させた身障者呼び用のボタン１９とする、若しくは実施例４と同様に、特殊な運転サービスを想起させるマークを表示した銘板やエッチング等を身障者呼び用のボタン近傍に配置した身障者呼び用のボタン２２とすることによっても、同様の効果が得られることは当然である。
【００７１】
実施例１乃至実施例５において、特殊な運転サービスの内容は、ペット運転（乗り合わせを防止するために、かご呼びに対応した後に、乗場呼びに対応する運転など）、引越しのための戸開き延長運転、新聞配達のための戸開き延長運転など様々な特殊運転に対応させることが可能であり、この場合の特殊呼び用の行先階登録ボタンには、前記各特殊運転サービスの内容が認識できるマークや説明表示等を具備しても良いことは当然である。
【００７２】
実施例１乃至実施例５において、音声案内装置にて、特殊な運転サービスを利用したい場合は、特殊特殊呼び用のボタンを押すように案内することも可能である。
【００７３】
実施例１乃至実施例５において、液晶ディスプレイなどのかご内表示装置にて、特殊な運転サービスを利用したい場合は、特殊特殊呼び用のボタンを押すように案内することも可能である。
【符号の説明】
【００７４】
１、１２、１３、１４    身障者専用の主操作盤
２                      身障者専用の副操作盤
３                      非常呼びボタン
４                      戸開ボタン
５                      戸閉ボタン
６                      方向表示器
７                      階名表示器
８                      身障者用を示すシンボルマーク
９、２４                音抜き穴
１０                    一般呼び用のボタン
１１、１９、２１、２２  身障者呼び用のボタン
１５                    一般用の操作盤兼用の、身障者用の主操作盤
１６                    エレベータのかご出入口
１７                    エレベータのかごドア
１８                    一般呼び用の操作盤
２０                    運転手盤
２３                    管制運転表示器
２５                    行先呼び登録装置
３１                    行先呼びボタン
３２                    行先呼び登録表示部
３４                    呼び登録切り替えボタン
３５                    身障者呼び登録可能表示部
３６                    身障者呼び登録表示部
５１                    かご位置表示部
５２                    メッセージ表示部
【図１】
0005831164.tif 000002
【図２】
0005831164.tif 000003
【図３】
0005831164.tif 000004
【図４】
0005831164.tif 000005
【図５】
0005831164.tif 000006
【図６】
0005831164.tif 000007
【図７】
0005831164.tif 000008
【図８】
0005831164.tif 000009